(57)【要約】【課題】スキー板の荷重応答性を高める。【解決手段】スキー用プレート１は、スキー板３０とスキー板３０にスキー靴４０を取り付けるためのビンディング５１，５２との間に配置されるものであって、スキー板３０に固定される第１部材１０とビンディング５１，５２に固定される第２部材２０とを含み、第１部材１０及び第２部材２０が互いに組み付けられた状態で使用される。第１部材１０がスキー板３０に固定され、かつ、第１部材１０及び第２部材２０が互いに組み付けられた状態において、第１対向部１０ｘ及び第２対向部２０ｘは、スキー板３０が撓んでいないときに互いに接触し、第１方向ｚ１にスキー板３０が撓んだときに互いに離隔するように構成されている。【選択図】図４
2015226667.tif 000002
【特許請求の範囲】
【請求項１】
スキー板と前記スキー板にスキー靴を取り付けるためのビンディングとの間に配置されるスキー用プレートにおいて、
前記スキー板に固定される第１部材と、
前記ビンディングに固定される第２部材と、を備え、
前記第１部材及び前記第２部材は、前記スキー板の長手方向、前記スキー板の幅方向及び前記スキー板の厚み方向に互いに移動しないように組み付けられると共に、前記長手方向に互いに対向する第１対向部及び第２対向部をそれぞれ有し、
前記第１部材が前記スキー板に固定され、かつ、前記第１部材及び前記第２部材が互いに組み付けられた状態において、前記第１対向部及び前記第２対向部は、前記スキー板が撓んでいないときに互いに接触し、前記厚み方向のうち前記第１部材から前記スキー板に向かう第１方向に前記スキー板が撓んだときに互いに離隔するように構成されていることを特徴とする、スキー用プレート。
【請求項２】
前記第１部材及び前記第２部材が互いに組み付けられた状態において、前記長手方向の中央を通りかつ前記幅方向に平行な中心線に関して、対称な形状を有することを特徴とする、請求項１に記載のスキー用プレート。
【請求項３】
前記第１部材は前記第２部材よりも弾性が大きいことを特徴とする、請求項１又は２に記載のスキー用プレート。
【請求項４】
前記第１部材は、前記第１方向の面全体が前記スキー板の表面と接触するように平らな第１基部を有し、
前記第２部材は、前記第１部材と組み付けられた状態において、前記厚み方向に前記第１基部から離隔した部分を有することを特徴とする、請求項１〜３のいずれか一項に記載のスキー用プレート。
【請求項５】
前記第１部材及び前記第２部材は、それぞれ、前記スキー靴の爪先部分に対応する前部品と、前記スキー靴の踵部分に対応する後部品との、一対で構成されていることを特徴とする、請求項１〜４のいずれか一項に記載のスキー用プレート。
【請求項６】
前記第１部材は、前記スキー板の表面に配置される第１基部と、前記第１基部における前記幅方向の両端から前記厚み方向のうち前記スキー板から前記第１部材に向かう第２方向にそれぞれ延出した一対の第１延出部と、を有し、前記第１基部及び前記一対の第１延出部の少なくともいずれかにおける前記長手方向の端面が前記第１対向部を構成し、
前記第２部材は、前記第２対向部を構成する面を含みかつ前記スキー板の前記表面に配置される第２基部と、前記第２基部の前記面から前記長手方向に延出した第２延出部と、を有し、前記第１部材と組み付けられるときに、前記第１部材に対して前記長手方向にスライドして、前記第１基部と前記一対の第１延出部とで画定された空間に前記第２延出部が挿入され、前記第２対向部が前記第１対向部と接触するように構成されていることを特徴とする、請求項１〜５のいずれか一項に記載のスキー用プレート。
【請求項７】
前記第１基部における前記第１方向の面全体が、前記スキー板の前記表面と接触するように平らであり、
前記第１部材は、前記第１基部における前記幅方向の中央から前記第２方向に突出した凸部をさらに有し、
前記第１部材及び前記第２部材が互いに組み付けられた状態において、前記第２延出部は、前記凸部と前記一対の第１延出部とに支持され、前記厚み方向に前記第１基部から離隔していることを特徴とする、請求項６に記載のスキー用プレート。
【発明の詳細な説明】
【技術分野】
【０００１】
本発明は、スキー板とスキー板にスキー靴を取り付けるためのビンディングとの間に配置されるスキー用プレートに関する。
【背景技術】
【０００２】
スキー用プレートの一例として、特許文献１に示されているようなプレート２０が知られている。プレート２０は、スキー板１０の表面に固定されるものであって、基材２１と、基材２１の下面の凹部２２に嵌合した補強板２５とを含む。補強板２５は、凹部２２と略同一形状であり、凹部２２に固定されている。
【先行技術文献】
【特許文献】
【０００３】
【特許文献１】特開２０１１−１９６６７号公報
【発明の概要】
【発明が解決しようとする課題】
【０００４】
スキー用プレートにおいては、スキー板の操作性を向上させるため、スキー靴からスキー板に伝達される荷重に対するスキー板の応答性を高めることが求められる。スキー板の荷重応答性を高めるためには、スキー板にスキー靴を確実に固定すること、及び、スキー板の撓みに対する拘束を抑制することを、共に実現することが重要である。
【０００５】
特許文献１のプレート２０において、基材２１及び補強板２５は、一体的に形成されており、スキー板が撓んだときに一体的に撓むことになる。この場合、スキー板にスキー靴を確実に固定することを実現できたとしても、当該固定がスキー板の撓みを阻害することになるため、スキー板の撓みに対する拘束を十分に抑制することができず、スキー板の荷重応答性を高めることができない。
【０００６】
本発明の目的は、スキー板の荷重応答性を高めることができるスキー用プレートを提供することにある。
【課題を解決するための手段】
【０００７】
本発明に係るスキー用プレートは、スキー板と前記スキー板にスキー靴を取り付けるためのビンディングとの間に配置されるプレートにおいて、前記スキー板に固定される第１部材と、前記ビンディングに固定される第２部材と、を備え、前記第１部材及び前記第２部材は、前記スキー板の長手方向、前記スキー板の幅方向及び前記スキー板の厚み方向に互いに移動しないように組み付けられると共に、前記長手方向に互いに対向する第１対向部及び第２対向部をそれぞれ有し、前記第１部材が前記スキー板に固定され、かつ、前記第１部材及び前記第２部材が互いに組み付けられた状態において、前記第１対向部及び前記第２対向部は、前記スキー板が撓んでいないときに互いに接触し、前記厚み方向のうち前記第１部材から前記スキー板に向かう第１方向に前記スキー板が撓んだときに互いに離隔するように構成されていることを特徴とする。
【０００８】
本発明において、第１部材はスキー板に固定されてスキー板と共に撓むという機能を有し、第２部材はビンディングを介してスキー靴を固定するという機能を有する。そして、このように第１部材と第２部材とで機能を分離すると共に、スキー板がスキー靴からの荷重によって撓むときに第１対向部と第２対向部とが互いに離隔して両者の間に長手方向の間隙が形成されるように構成したことで、互いの機能を阻害しないようにしている。即ち、本発明によれば、第２部材によってスキー靴を確実に固定しても、第１部材及びスキー板の撓みが阻害され難く、スキー板にスキー靴を確実に固定すること、及び、スキー板の撓みに対する拘束を抑制することを、共に実現することできる。即ち、スキー板の荷重応答性を高めることができる。
【０００９】
本発明に係るスキー用プレートは、前記第１部材及び前記第２部材が互いに組み付けられた状態において、前記長手方向の中央を通りかつ前記幅方向に平行な中心線に関して、対称な形状を有してよい。この場合、中心線に関して非対称な形状を有する場合に比べ、自然な撓みが得られ、スキー板の操作性をより一層向上させることができる。
【００１０】
前記第１部材は前記第２部材よりも弾性が大きくてよい。この場合、第１部材のスキー板と共に撓むという機能及び第２部材のスキー靴を固定するという機能の両方をより確実に実現することができる。
【００１１】
前記第１部材は、前記第１方向の面全体が前記スキー板の表面と接触するように平らな第１基部を有し、前記第２部材は、前記第１部材と組み付けられた状態において、前記厚み方向に前記第１基部から離隔した部分を有してよい。この場合、第１部材のスキー板と共に撓むという機能及び第２部材のスキー靴を固定するという機能を、互いに阻害することなく、より確実に実現することができる。
【００１２】
前記第１部材及び前記第２部材は、それぞれ、前記スキー靴の爪先部分に対応する前部品と、前記スキー靴の踵部分に対応する後部品との、一対で構成されてよい。この場合、第１部材のスキー板への固定、第１部材と第２部材との組付、等の一連の作業を容易に行うことができる。
【００１３】
前記第１部材は、前記スキー板の表面に配置される第１基部と、前記第１基部における前記幅方向の両端から前記厚み方向のうち前記スキー板から前記第１部材に向かう第２方向にそれぞれ延出した一対の第１延出部と、を有し、前記第１基部及び前記一対の第１延出部の少なくともいずれかにおける前記長手方向の端面が前記第１対向部を構成し、前記第２部材は、前記第２対向部を構成する面を含みかつ前記スキー板の前記表面に配置される第２基部と、前記第２基部の前記面から前記長手方向に延出した第２延出部と、を有し、前記第１部材と組み付けられるときに、前記第１部材に対して前記長手方向にスライドして、前記第１基部と前記一対の第１延出部とで画定された空間に前記第２延出部が挿入され、前記第２対向部が前記第１対向部と接触するように構成されてよい。この場合、第１部材と第２部材との組付作業を容易に行うことができる。
【００１４】
前記第１基部における前記第１方向の面全体が、前記スキー板の前記表面と接触するように平らであり、前記第１部材は、前記第１基部における前記幅方向の中央から前記第２方向に突出した凸部をさらに有し、前記第１部材及び前記第２部材が互いに組み付けられた状態において、前記第２延出部は、前記凸部と前記一対の第１延出部とに支持され、前記厚み方向に前記第１基部から離隔してよい。この場合、第２延出部が第１基部と接触する場合に比べ、第１部材及びスキー板の撓みが阻害され難く、スキー板にスキー靴を確実に固定すること、及び、スキー板の撓みに対する拘束を抑制することを、より確実に実現することできる。
【発明の効果】
【００１５】
本発明によれば、第２部材によってスキー靴を確実に固定しても、第１部材及びスキー板の撓みが阻害され難く、スキー板にスキー靴を確実に固定すること、及び、スキー板の撓みに対する拘束を抑制することを、共に実現することできる。即ち、スキー板の荷重応答性を高めることができる。
【図面の簡単な説明】
【００１６】
【図１】本発明の一実施形態に係るスキー用プレートを示す斜視図である。
【図２】（ａ）は、表面側から見た、図１のプレートにおける第１部材及び第２部材それぞれの前部品を示す分解斜視図である。（ｂ）は、裏面側から見た、図１のプレートにおける第１部材及び第２部材それぞれの前部品を示す分解斜視図である。
【図３】図１に示すＩＩＩ−ＩＩＩ線に沿った断面図である。
【図４】（ａ）は、図１のプレートにスキー板及びスキー靴を固定した状態を示す側面図である。（ｂ）は、スキー板が撓んだ状態を示す側面図である。
【図５】図４に示す一点鎖線で囲んだ領域Ｖの拡大図である。
【図６】連結部の変形例を示す図であり、（ａ）は、互いに離隔した状態における第２部材の前部品及び後部品を示す部分平面図、（ｂ）は、互いに離隔した状態における第２部材の前部品及び後部品を示す部分側面図、（ｃ）は、第２部材の後部品を示す部分斜視図、（ｄ）は（ｃ）に示す矢印ＶＩＤ方向から見た図である。
【発明を実施するための形態】
【００１７】
以下、本発明の好適な実施の形態について、図面を参照しつつ説明する。
【００１８】
先ず、図１〜図５を参照し、本発明の一実施形態に係るスキー用プレート１の構成について説明する。
【００１９】
プレート１は、スキー板３０とスキー板３０にスキー靴４０を取り付けるためのビンディング５１，５２との間に配置されるものであって（図４参照）、スキー板３０に固定される第１部材１０とビンディング５１，５２に固定される第２部材２０とを含み、第１部材１０及び第２部材２０が図１のように互いに組み付けられた状態で使用される。プレート１は、第１部材１０及び第２部材２０が互いに組み付けられた状態において、スキー板３０の長手方向ｘ（以下、単に「長手方向ｘ」という。）の中央を通りかつスキー板３０の幅方向ｙ（以下、単に「幅方向ｙ」という。）に平行な中心線Ｏに関して、対称な形状を有する。
【００２０】
第１部材１０及び第２部材２０は、それぞれ、スキー靴４０の爪先部分４１に対応する前部品１０ａ，２０ａと、スキー靴４０の踵部分４２に対応する後部品１０ｂ，２０ｂとの、一対で構成されている。第１部材１０の前部品１０ａ及び後部品１０ｂは略同じ構成であり、第２部材２０の前部品２０ａ及び後部品２０ｂは同じ構成である。
【００２１】
第１部材１０は、第２部材２０よりも弾性が大きい材料で構成されている。第１部材１０の前部品１０ａ及び後部品１０ｂは同じ材料で構成され、第２部材２０の前部品２０ａ及び後部品２０ｂは同じ材料で構成されている。
【００２２】
第１部材１０の各部品１０ａ，１０ｂは、図２に示すように、第１基部１１と、一対の第１延出部１２と、凸部１３とを有する。各部品１０ａ，１０ｂにおける長手方向ｘの一端面であって、第１基部１１、一対の第１延出部１２、及び凸部１３における長手方向ｘの一端面が、第１対向部１０ｘを構成する。
【００２３】
第１基部１１は、スキー板３０の表面３０ａに配置される矩形板状の部分であり、その裏面全体が表面３０ａと接触するように平らである（図２（ｂ）参照）。第１基部１１には、第１部材１０をスキー板３０に固定するための４つの貫通孔１１ｘが形成されている。
【００２４】
一対の第１延出部１２は、第１基部１１における幅方向ｙの両端から延出した部分であり、第１基部１１の長手方向ｘ全体に亘って形成されている。スキー板３０の厚み方向ｚ（以下、単に「厚み方向ｚ」という。）のうち、第１部材１０からスキー板３０に向かう方向を第１方向ｚ１、スキー板３０から第１部材１０に向かう方向を第２方向ｚ２とすると、一対の第１延出部１２は、第１基部１１における幅方向ｙの両端から第２方向ｚ２にそれぞれ延出している（図３参照）。また、一対の第１延出部１２は、それぞれ、先端部分が内側（第１基部１１における幅方向ｙの中央に近づく方向）に屈曲するように、逆Ｌ字状に形成されている。
【００２５】
凸部１３は、第１基部１１における幅方向ｙの中央から第２方向ｚ２に突出した部分であり、第１基部１１の長手方向ｘ全体に亘って形成されている。凸部１３の高さは、一対の第１延出部１２の高さよりも低い。
【００２６】
第２部材２０の各部品２０ａ，２０ｂは、図２に示すように、第２基部２１と、第２延出部２２と、連結部２３とを有する。各部品２０ａ，２０ｂにおいて、第２基部２１における長手方向ｘの一端面であって、第２延出部２２が延出した面が、第２対向部２０ｘを構成する。各部品２０ａ，２０ｂの第２対向部２０ｘは、各部品１０ａ，１０ｂの第１対向部１０ｘと長手方向ｘに対向する。
【００２７】
第２基部２１は、第２対向部２０ｘを構成する面を含み、かつ、スキー板３０の表面３０ａに配置される、一定の厚みを有する板状の部分である。
【００２８】
第２延出部２２は、第２基部２１における第２対向部２０ｘを構成する面から長手方向ｘに延出した部分であり、主部２２ａと、主部２２ａにおける幅方向ｙの両端から外側（主部２２ａにおける幅方向ｙの中央から離れる方向）にそれぞれ突出した一対の突出部２２ｂとを有する。主部２２ａは、第２基部２１における幅方向ｙの中央部分に位置し、幅方向ｙ及び厚み方向ｚのサイズが第２基部２１よりも小さい矩形板状の部分である。主部２２ａには、第２部材２０に爪先支持部材５１又は踵支持部材５２（図４参照）を取り付けるための４つの貫通孔２２ｘが形成されている。一対の突出部２２ｂは、主部２２ａよりも厚みが小さく、主部２２ａの長手方向ｘ全体に亘って形成されている。
【００２９】
第１部材１０及び第２部材２０が互いに組み付けられた状態において、第２延出部２２は、凸部１３と一対の第１延出部１２とに支持され、厚み方向ｚに第１基部１１から離隔している（図３参照）。このとき、凸部１３の先端が主部２２ａの下面に接触し、かつ、各第１延出部１２の先端部分が主部２２ａと各突出部２２ｂとの段差部分に係合して主部２２ａにおける幅方向ｙの各側面と各突出部２２ｂの表面とに接触している。
【００３０】
連結部２３は、主部２２ａにおける長手方向ｘの一端面から長手方向ｘに延出した矩形板状の部分であり、主部２２ａと同じ幅方向ｙのサイズ及び主部２２ａよりも小さい厚み方向ｚのサイズを有する。連結部２３には、２つの貫通孔２３ｘが形成されている。
【００３１】
第２基部２１、第２延出部２２及び連結部２３、並びに、第２延出部２２の主部２２ａ及び一対の突出部２２ｂは、上記のような厚みの関係により、各部の間に段差が形成されている。各部品２０ａ，２０ｂにおいて、第２基部２１と第２延出部２２との間の段差は、裏面側に形成されている（図２（ｂ）参照）。第２基部２１における当該段差を構成する部分と、第２基部２１における幅方向ｙの両端部分とが、第２対向部２０ｘを構成する。各部品２０ａ，２０ｂにおいて、主部２２ａと各突出部２２ｂとの間の段差は、表面側に形成されている（図２（ａ）参照）。第２延出部２２と連結部２３との間の段差は、前部品２０ａでは裏面側（図２（ｂ）参照）、後部品２０ｂでは表面側に形成されている。
【００３２】
具体的には、前部品２０ａと後部品２０ｂとにおいて、第２基部２１及び第２延出部２２の構成は同じであるが、連結部２３の構成が異なっている。前部品２０ａでは、連結部２３が、主部２２ａにおける長手方向ｘの一端面の、厚み方向ｚに関して表面側（第２方向ｚ２側）の領域に設けられているのに対し、後部品２０ｂでは、連結部２３が、主部２２ａにおける長手方向ｘの一端面の、厚み方向ｚに関して裏面側（第１方向ｚ１側）の領域に設けられている。
【００３３】
続いて、プレート１の使用方法（各部の組付手順）について説明する。
【００３４】
先ず、第１部材１０をスキー板３０に固定する。このとき、各部品１０ａ，１０ｂをスキー板３０における長手方向ｘの中央部分の所定位置に配置し、第１基部１１の裏面（第１方向ｚ１の面）全体を表面３０ａと接触させる。そして、各部品１０ａ,１０ｂの貫通孔１１ｘをスキー板３０の貫通孔３０ｘ（図３参照）のそれぞれと位置合わせした状態で、各貫通孔１１ｘ，３０ｘにボルト（図示略）を挿入し、当該ボルトを締め付けることで、部品１０ａ，１０ｂをスキー板３０に固定する。
【００３５】
次に、第２部材２０に支持部材５１，５２（図４参照）を取り付ける。このとき、前部品２０ａに爪先支持部材５１、後部品２０ｂに踵支持部材５２を、それぞれ貫通孔２２ｘに挿入したボルト（図示略）を締め付けることで、取り付ける。
【００３６】
次に、第１部材１０に第２部材２０を組み付ける。このとき、各部品２０ａ，２０ｂを各部品１０ａ，１０ｂに対して長手方向ｘに（詳細には、前部品２０ａを図１の左手前側から右奥側に、後部品２０ｂを図１の右奥側から左手前側に）スライドさせ、第１基部１１と一対の第１延出部１２とで画定された空間Ｓ（図２及び図３参照）に第２延出部２２を挿入する。そして、図１に示すように、各部品２０ａ，２０ｂを、第１対向部１０ｘと第２対向部２０ｘとが互いに接触すると共に、連結部２３同士が上下に重なり合うように、配置する。そして、各貫通孔２３ｘを位置合わせした状態で、各貫通孔２３ｘにボルト６０（図５参照）を挿入し、ボルト６０を締め付ける。これにより、連結部２３同士が連結し、第１部材１０及び第２部材２０が長手方向ｘ、幅方向ｙ及び厚み方向ｚに互いに移動しないように組み付けられる。
【００３７】
なお、本実施形態では、各第１延出部１２の先端における内側に屈曲した部分に切欠が設けられており、第１部材１０と第２部材２０とを組み付けた状態において、表面側から見て対向部１０ｘ，２０ｘ近傍に開口Ａが形成されている（図１参照）。
【００３８】
このようにして第１部材１０がスキー板３０に固定され、かつ、第１部材１０及び第２部材２０が互いに組み付けられた状態において、第１対向部１０ｘ及び第２対向部２０ｘは、スキー板３０が撓んでいないときに互いに接触し（図４（ａ）参照）、第１方向ｚ１にスキー板３０が撓んだときに互いに離隔する（図４（ｂ）参照）ように構成されている。これは、第１部材１０及び第２部材２０を互いに固定することなく組み付け、各部材１０，２０が独立して撓むように構成したこと等により、実現されるものである。
【００３９】
以上に述べたように、本実施形態において、第１部材１０はスキー板３０に固定されてスキー板３０と共に撓むという機能を有し、第２部材２０はビンディング５１，５２を介してスキー靴４０を固定するという機能を有する。そして、このように第１部材１０と第２部材２０とで機能を分離すると共に、スキー板３０がスキー靴４０からの荷重によって撓むときに第１対向部１０ｘと第２対向部２０ｘとが互いに離隔して両者の間に長手方向ｘの間隙Ｇが形成される（図４（ｂ）参照）ように構成したことで、互いの機能を阻害しないようにしている。即ち、本実施形態によれば、第２部材２０によってスキー靴４０を確実に固定しても、第１部材１０及びスキー板３０の撓みが阻害され難く、スキー板３０にスキー靴４０を確実に固定すること、及び、スキー板３０の撓みに対する拘束を抑制することを、共に実現することできる。即ち、スキー板３０の荷重応答性を高めることができる。
【００４０】
プレート１は、第１部材１０及び第２部材２０が互いに組み付けられた状態において、中心線Ｏに関して対称な形状を有する（図１参照）。この場合、中心線Ｏに関して非対称な形状を有する場合に比べ、自然な撓みが得られ、スキー板３０の操作性をより一層向上させることができる。
【００４１】
第１部材１０は第２部材２０よりも弾性が大きい。この場合、第１部材１０のスキー板３０と共に撓むという機能及び第２部材２０のスキー靴４０を固定するという機能の両方をより確実に実現することができる。
【００４２】
第１部材１０は、裏面（第１方向ｚ１の面）全体がスキー板３０の表面３０ａと接触するように平らな第１基部１１を有し、第２部材２０は、第１部材１０と組み付けられた状態において、厚み方向ｚに第１基部１１から離隔した部分（第２延出部２２）を有する（図３参照）。この場合、第１部材１０のスキー板３０と共に撓むという機能及び第２部材２０のスキー靴４０を固定するという機能を、互いに阻害することなく、より確実に実現することができる。
【００４３】
第１部材１０及び第２部材２０は、それぞれ、スキー靴４０の爪先部分４１に対応する前部品１０ａ，２０ａと、スキー靴４０の踵部分４２に対応する後部品１０ｂ，２０ｂとの、一対で構成されている。この場合、第１部材１０のスキー板３０への固定、第１部材１０と第２部材２０との組付、等の一連の作業を容易に行うことができる。
【００４４】
第１部材１０は第１基部１１及び一対の第１延出部１２を有し、第２部材２０は第２基部２１及び第２延出部２２を有する。そして、第２部材２０は、第１部材と組み付けられるときに、第１部材１０に対して長手方向ｘにスライドして、第１基部１１と一対の第１延出部１２とで画定された空間Ｓに第２延出部２２が挿入され、第２対向部２０ｘが第１対向部１０ｘと接触するように構成されている。この場合、第１部材１０と第２部材２０との組付作業を容易に行うことができる。
【００４５】
第１基部１１における裏面（第１方向ｚ１の面）全体が、スキー板３０の表面３０ａと接触するように平らであり、第１部材１０は、第１基部１１における幅方向ｙの中央から第２方向ｚ２に突出した凸部１３をさらに有し、第１部材１０及び第２部材２０が互いに組み付けられた状態において、第２延出部２２は、凸部１３と一対の第１延出部１２とに支持され、厚み方向ｚに第１基部１１から離隔している（図３参照）。この場合、第２延出部２２が第１基部１１と接触する場合に比べ、第１部材１０及びスキー板３０の撓みが阻害され難く、スキー板３０にスキー靴４０を確実に固定すること、及び、スキー板３０の撓みに対する拘束を抑制することを、より確実に実現することできる。
【００４６】
続いて、図６を参照し、連結部２３の変形例について説明する。
【００４７】
連結部２３は、上述の実施形態では矩形板状であるが、本変形例では、幅方向ｙに２分割された形態である。
【００４８】
具体的には、本変形例において、各部品２０ａ，２０ｂの連結部２３は、主部２２ａにおける長手方向ｘの一端面の、厚み方向ｚに関して表面側の領域に設けられた上部２３ａと、厚み方向ｚに関して裏面側の領域に設けられた下部２３ｂとを有する。幅方向ｙに２分割した一方の領域に上部２３ａ、他方の領域に下部２３ｂが配置されている。前部品２０ａでは、図６（ａ）の上側半分が下部２３ｂ、図６（ａ）の下側半分が上部２３ａであり、後部品２０ｂでは、図６（ａ）の上側半分が上部２３ａ、図６（ａ）の下側半分が下部２３ｂである。第２部材２０を第１部材１０に組み付ける際に、部品２０ａ，２０ｂの連結部２３同士を重ね合わせると、前部品２０ａの連結部２３の上部２３ａが後部品２０ｂの連結部２３の下部２３ｂの上面に配置され、後部品２０ｂの連結部２３の上部２３ａが前部品２０ａの連結部２３の下部２３ｂの上面に配置される。このように本変形例では連結部２３同士が嵌合される。
【００４９】
上部２３ａには上貫通孔２３ｘ１、下部２３ｂには下貫通孔２３ｘ２がそれぞれ形成されている。連結部２３同士を嵌合させると、上貫通孔２３ｘ１と下貫通孔２３ｘ２とが上下（厚み方向ｚ）に連通する。上下に連通した貫通孔２３ｘ１，２３ｘ２にボルト（図示略）を挿入し、当該ボルトを締め付けることで、連結部２３同士を連結することができる。
【００５０】
以上、本発明の好適な実施の形態及び変形例について説明したが、本発明は上述の実施形態及び変形例に限られるものではなく、特許請求の範囲に記載した限りにおいて様々な設計変更が可能なものである。
【００５１】
・本発明に係るスキー用プレートは、第１部材及び第２部材が互いに組み付けられた状態において、中心線に関して非対称な形状を有してもよい。
・第１部材及び第２部材における凹凸の構成は、任意に変更可能である。例えば、上述の実施形態では、第１部材１０によって画定された空間Ｓに第２部材２０が挿入されるが、上述の実施形態とは逆に、第２部材によって画定された空間に第１部材が挿入されてもよい。
・第１部材及び第２部材の組付の手順は、任意に変更可能である。例えば、上述の実施形態では、第１部材１０をスキー板３０に固定した後に、第１部材１０に第２部材２０を組み付けるが、これに限定されず、第１部材１０に第２部材２０を組み付けた後に、第１部材１０をスキー板３０に固定してもよい。また、上述の実施形態では、第１部材１０に第２部材２０を組み付ける前に、第２部材２０に支持部材５１，５２を取り付けるが、これに限定されず、第１部材１０に第２部材２０を組み付けた後に、第２部材２０に支持部材５１，５２を取り付けてもよい。
・第１部材とスキー板との固定手段、第２部材とビンディングとの固定手段、第２部材の前部品と後部品との連結手段として、上述の実施形態では貫通孔及びボルトを例示したが、これに限定されない。例えば、固定手段や連結手段として、貫通孔の代わりに凹部を用いたり、ボルトの代わりに接着剤を用いたりしてもよい。貫通孔や凹部の数や配置も、任意である。
・第１部材及び第２部材のそれぞれが一対で構成されなくてもよい。例えば、第１部材及び第２部材の一方が、スキー板の長手方向に長尺な１部品から構成され、他方の前部品及び後部品が当該１部品に対して組み付けられてもよい。或いは、第１部材及び第２部材のそれぞれが、スキー板の長手方向に長尺な１部品から構成されてもよい。
・第１部材における第１方向の面は、全体が平らであることに限定されず、凹凸があってもよい。
・第２部材は、第１部材と組み付けられた状態において、厚み方向に第１基部から離隔した部分を有さなくてもよい。
・第１部材及び第２部材の弾性の大小関係は特に限定されない。
・支持部材５１，５２は、本発明において必須の要素ではなく、省略可能である。
・上述の実施形態では、第１部材１０と第２部材２０とを組み付けた状態において、表面側から見て対向部１０ｘ，２０ｘ近傍に開口Ａが形成されているが、これに限定されない。例えば、第１部材１０と第２部材２０とを組み付けた状態において、開口Ａが形成されず、スキー板３０が撓んでいないときに、各第１延出部１２の先端における内側に屈曲した部分が第２対向部２０ｘと接触してもよい。
【符号の説明】
【００５２】
１  スキー用プレート
１０  第１部材
１０ａ  前部品
１０ｂ  後部品
１０ｘ  第１対向部
１１  第１基部
１２  第１延出部
１３  凸部
２０  第２部材
２０ａ  前部品
２０ｂ  後部品
２０ｘ  第２対向部
２１  第２基部
２２  第２延出部
３０  スキー板
３０ａ  表面
４０  スキー靴
４１  爪先部分
４２  踵部分
５１，５２  ビンディング
ｘ  長手方向
ｙ  幅方向
ｚ  厚み方向
ｚ１  第１方向
ｚ２  第２方向
Ｏ  中心線
Ｓ  空間
【図１】
2015226667.tif 000003
【図２】
2015226667.tif 000004
【図３】
2015226667.tif 000005
【図４】
2015226667.tif 000006
【図５】
2015226667.tif 000007
【図６】
2015226667.tif 000008